(57)【要約】【課題】複数の前フィンを短手方向に配置した前可動ルーバとその上流側に奥フィンを長手方向に配置した奥可動ルーバとを備えた薄型レジスタにおいて、前可動ルーバと奥可動ルーバの風向調整をコンパクトな構造の操作ノブにより行なうことができるレジスタの操作ノブを提供する。【解決手段】前可動ルーバ５の前フィン５１と前フィン５１の間に、操作ノブケース４１が前フィン５１の支軸５２と平行なケース支軸４４により回動可能に軸支される。ケース支軸４４または操作ノブケースは１本のリンク部材５５により前フィン５１の支軸５２と同期して回動するように連結される。操作ノブケース４１内には、操作ノブ本体４２がケース支軸４４と垂直のノブ支軸４３により回動可能に支持される。操作ノブ本体４２の後部に、奥可動ルーバ８の奥フィン８１と係合する係合部４５が設けられる。【選択図】図８
2014210502.tif 000002
【特許請求の範囲】
【請求項１】
レジスタの前部に長手方向に長く短手方向に短い細長の空気吹出口が設けられ、該空気吹出口の内側に複数の前フィンを有する前可動ルーバが配設され、該前可動ルーバの前フィンは該短手方向と平行な支軸により軸支され且つ該長手方向に間隔をおいて並設され、該前可動ルーバの上流側の通風路内に、該短手方向に風向を変える奥フィンを有した奥可動ルーバが該長手方向と平行な支軸を介して回動可能に軸支されてなるレジスタの操作ノブにおいて、
該前可動ルーバの前フィンと前フィンの間に、操作ノブケースが該前フィンの支軸と平行なケース支軸により回動可能に軸支され、
該操作ノブケースまたは該ケース支軸は、１本のリンク部材を介して該前フィンの支軸と同期して回動するように連結され、
該操作ノブケース内には、操作ノブ本体が該ケース支軸と垂直のノブ支軸を介して回動可能に軸支され、該操作ノブ本体の後部に、前記奥可動ルーバの奥フィンと係合する係合部が設けられたことを特徴とするレジスタの操作ノブ。
【請求項２】
前記操作ノブ本体の前部には、前記操作ノブケースの幅より幅広の扇形把持部が設けられ、該扇形把持部は該操作ノブケースの正面に設けた開口部から前方に突出して取り付けられることを特徴とする請求項１記載のレジスタの操作ノブ。
【請求項３】
前記操作ノブケースは、前記ケース支軸と平行な分割線で２分割された第１ノブケースと第２ノブケースを組み付けて形成され、該第１ノブケースと該第２ノブケース内に前記操作ノブ本体を、回動可能に挿入した状態で、該第１ノブケースと第２ノブケースを組み付けることを特徴とする請求項２記載のレジスタの操作ノブ。
【請求項４】
前記操作ノブ本体の後部に、二股状の係合部が形成され、前記奥可動ルーバの奥フィンの前部には、棒状の係合部が該二股状の係合部と係合可能に設けられたことを特徴とする請求項１記載のレジスタの操作ノブ。
【請求項５】
前記空気吹出口の内側に、上流側に傾斜面を有する山形凸条が該空気吹出口の長手方向と平行に両側に形成され、該山形凸条はその頂部で通風路を狭窄して該空気吹出口を形成し、且つ該山形凸条は該通風路の空気流を該傾斜面から該空気吹出口の中央寄りに曲げて吹出すように形成されたことを特徴とする請求項１記載のレジスタの操作ノブ。
【発明の詳細な説明】
【技術分野】
【０００１】
本発明は、自動車等の空調の空気吹出口に使用される空気吹出調整用のレジスタにおいて、その可動ルーバの操作に使用される操作ノブに関し、特に長手方向に長く短手方向に短い細長の空気吹出口を有した薄型レジスタに好適な操作ノブに関する。
【背景技術】
【０００２】
空調装置の空気吹出調整用のレジスタとして、通風路を形成するベゼルまたはリテーナ内に、横可動ルーバと縦可動ルーバを前後して直交するように配設し、ベゼルに設けた空気吹出口から空気を吹き出す際、横可動ルーバ、縦可動ルーバの各フィンの角度を変えて空気の吹出し方向を調整するレジスタが、自動車の空調などで使用されている。
【０００３】
近年、自動車用の空調に使用されるレジスタでは、長手方向に長く短手方向に短い細長の空気吹出口を有し、空気吹出口の内側に１〜３枚程度の少数の前可動フィンを設けた薄型のレジスタが、主として意匠性やデザイン的なデマンドから製作される場合がある。このようなレジスタは、例えば下記特許文献１などで知られている。
【先行技術文献】
【特許文献】
【０００４】
【特許文献１】特開２００２−１０３９５４号公報
【発明の概要】
【発明が解決しようとする課題】
【０００５】
この種の薄型レジスタは、細長の空気吹出口の内側に、枚数が１〜３枚程度の前可動フィンが長手方向に沿って配置され、その前可動フィンの上流側に多数の後可動フィンが、前可動フィンと直交する短手方向に枢支され、長手方向に間隔をおいて並設される。
【０００６】
しかし、レジスタの空気吹出口が長手方向に長く短手方向に短い細長形状であって、その短手方向の長さが非常に短く極めて薄型となった場合、通風路から空気吹出口に向けて送風される空気流が短手方向に圧縮されて縮流が発生しやすく、特に、その縮流によって、後可動フィンを長手方向に振った際の風の指向性が悪化しやすいという現象が生じていた。
【０００７】
そこで、薄型レジスタにおいて上記のような縮流によって生じる指向性の悪化を改善するために、空気吹出口の短手方向と平行に前可動フィンを配置するとともに、その長手方向と平行に後可動フィンを配置し、後可動フィンを短手方向に振った際の風の指向性を向上させるようにした薄型レジスタの開発が行なわれている。
【０００８】
このタイプのレジスタは、空気吹出口の直ぐ内側に、上流側に傾斜面を有する山形凸条が通風路の空気流を空気吹出口の中央寄りに曲げて吹出すように長手方向に沿って両側に形成され、山形凸条の直ぐ上流側に複数の前フィンを有する前可動ルーバが、空気吹出口の短手方向に沿った支軸を介して前フィンを回動可能に、且つ長手方向に間隔をおいて並設され、さらに前可動ルーバの上流側の通風路内に、短手方向に風向を変える１枚の後フィンを有する後可動ルーバが長手方向に沿った支軸を介して回動可能に軸支される。
【０００９】
このような薄型レジスタは、風向を空気吹出口の短手方向に変える場合、後可動ルーバの後フィンを短手方向に回動させ、後フィンによって縮流された空気流を山形凸条に当てることにより、後フィンによる短手方向の曲げと逆の方向に曲げて、風向を短手方向に変えるように動作する。また、風向を長手方向に変える場合、前可動ルーバの複数の前フィンを長手方向に回動させ、風向を長手方向に変えるように動作する。
【００１０】
ところで、上記特許文献１に記載されるような従来のレジスタの場合、風向を変えるための操作機構は、前可動ルーバの前フィンに操作ノブがその長手方向に沿って摺動可能に外嵌され、操作ノブの背面側に係合部が設けられ、その係合部が後可動ルーバの短手方向に並設された後フィンと係合し、操作ノブを長手方向に摺動させたとき、後フィンを回動させて、風向を空気吹出口の長手方向に変える構造である。
【００１１】
しかしながら、上記のような薄型レジスタの場合、つまり長手方向に長く短手方向に短い細長の空気吹出口を有し、短手方向と平行に複数の前可動フィンを並設し、長手方向と平行に後可動フィンを配置した薄型レジスタでは、上記従来の操作ノブを使用した場合、前可動ルーバの前フィンの長さが非常に短いために、操作ノブを前フィン上に摺動可能に外嵌させて、操作ノブを前フィン上で摺動操作したとしても、後可動ルーバの後フィンを有効に回動させることは困難となる。このため、上記のような薄型レジスタの前面で容易に操作が可能で、風向を適正に変えることができる小型の操作ノブが要望されていた。
【００１２】
本発明は、上記の点に鑑みてなされたもので、複数の前フィンを短手方向に配置した前可動ルーバとその上流側に奥フィンを長手方向に配置した奥可動ルーバとを備えた薄型レジスタにおいて、前可動ルーバと奥可動ルーバの風向調整をコンパクトな構造の操作ノブにより適正に行なうことができるレジスタの操作ノブを提供することを目的とする。
【課題を解決するための手段】
【００１３】
本発明に係るレジスタの操作ノブは、レジスタの前部に長手方向に長く短手方向に短い細長の空気吹出口が設けられ、該空気吹出口の内側に複数の前フィンを有する前可動ルーバが配設され、該前可動ルーバの前フィンは該短手方向と平行な支軸により軸支され且つ該長手方向に間隔をおいて並設され、該前可動ルーバの上流側の通風路内に、該短手方向に風向を変える奥フィンを有した奥可動ルーバが該長手方向と平行な支軸を介して回動可能に軸支されてなるレジスタの操作ノブにおいて、該前可動ルーバの前フィンと前フィンの間に、操作ノブケースが該前フィンの支軸と平行なケース支軸により回動可能に軸支され、該操作ノブケースまたは該ケース支軸は１本のリンク部材により該前フィンの支軸と同期して回動するように連結され、該操作ノブケース内には、操作ノブ本体が該ケース支軸と垂直のノブ支軸により回動可能に支持され、該操作ノブ本体の後部に、前記奥可動ルーバの奥フィンと係合する係合部が設けられたことを特徴とする。
【００１４】
この発明のレジスタの操作ノブによれば、レジスタが、長手方向に長く短手方向に短い細長の空気吹出口を有する薄型のレジスタ（空気吹出口の短手方向と長手方向の長さ比が例えば１対１５のように非常に薄型のレジスタ）であっても、前可動ルーバの前フィンと前フィンとの間に、コンパクトな構造の操作ノブを配設して、操作ノブ本体を上下左右に回動操作して、前可動ルーバと奥可動ルーバの両方の風向調整を簡単に行なうことができる。
【００１５】
ここで、上記操作ノブ本体の前部には、上記操作ノブケースの幅より幅広の扇形把持部が設けられ、該扇形把持部は該操作ノブケースの正面に設けた開口部から前方に突出して設けることが好ましい。これによれば、操作ノブケース及び操作ノブ本体をコンパクトに形成しつつ把持部を把持しやすい形状とすることができ、使用者は容易に扇形把持部を持って風向調整の操作を行なうことができる。
【００１６】
また、上記操作ノブケースは、本体支軸と平行な分割線で２分割された第１ノブケースと第２ノブケースを組み付けて形成され、第１ノブケースと第２ノブケース内に操作ノブ本体を、回動可能に挿入した状態で、第１ノブケースと第２ノブケースを組み付ける構造とすることができる。これによれば、コンパクトな操作ノブの操作ノブケース内に、操作ノブ本体を回動可能に、容易に組み付けることができる。
【００１７】
また、上記操作ノブ本体の後部には、二股状の係合部が形成され、上記奥可動ルーバの奥フィンの前部に、棒状の係合部が該二股状の係合部と係合可能に設けることができる。
【００１８】
また、上記レジスタは、空気吹出口の内側に、上流側に傾斜面を有する山形凸条が該空気吹出口の長手方向と平行に両側に形成され、該山形凸条はその頂部で通風路を狭窄して該空気吹出口を形成し、且つ該山形凸条は該通風路の空気流を該傾斜面から該空気吹出口の中央寄りに曲げて吹出すように形成することができる。これによれば、奥フィンを短手方向に振ったときに縮流された空気流を、山形凸条の傾斜面に当て、奥フィンによる短手方向の曲げと逆の方向に曲げて、風向を短手方向に適正に変えることができる。
【発明の効果】
【００１９】
本発明のレジスタの操作ノブによれば、非常に細長の空気吹出口を有した薄型のレジスタであっても、空気吹出口内側の前可動ルーバの前面にコンパクトな操作ノブを配設することができ、操作ノブの操作により、前可動ルーバと奥可動ルーバを左右上下に回動させて、風向調整を容易に行なうことができる。
【図面の簡単な説明】
【００２０】
【図１】本発明の一実施形態を示すレジスタの正面図である。
【図２】同レジスタの左側面図である。
【図３】同レジスタの平面図である。
【図４】同レジスタの斜視図である。
【図５】同レジスタの背面から見た斜視図である。
【図６】図１のVI-VI断面図である。
【図７】図１のVII-VII断面図である。
【図８】奥可動ルーバと操作ノブの斜視図である。
【図９】操作ノブの分解斜視図である。
【図１０】図１のX-X断面図である。
【図１１】操作ノブを下に振った際の図１のVII-VII断面図である。
【図１２】操作ノブを上に振った際の図１のVII-VII断面図である。
【図１３】前可動フィンを左右に振ったときの図１のVI-VI断面図である。
【図１４】ベゼルに意匠カバーを取り付けた状態の正面図（ａ）と左側面図（ｂ）である。
【発明を実施するための形態】
【００２１】
以下、本発明の実施の形態を図面に基づいて説明する。図１はレジスタの正面図を示し、図２、３はその左側面図、平面図を示している。このレジスタは所謂スリットタイプの薄型レジスタであり、図１に示すように、ベゼル２の前面に形成される空気吹出口２ａは、その短手方向（ベゼル２の縦方向）の長さと長手方向（ベゼル２の横方向）の長さの比が、例えば約１対１５に形成され、非常に細長形状に形成されている。
【００２２】
ケース本体１は、図４，５に示すように、薄型の箱型ダクト状に形成され、内部に高さの低い通風路３が形成され、ベゼル２の空気吹出口２ａに向かってさらにその高さが低くなるように構成されている。背面から見た図５に示すように、ケース本体１内の通風路３の末端開口部には、空気の導入口が形成される。一方、ケース本体１の前面には上記の如くベゼル２が嵌着され、ベゼル２には、通風路３を通る空気を吹出すために、図１，４に示す如く、極めて横に細長い形状の空気吹出口２ａが形成される。
【００２３】
空気吹出口２ａは、図１、４に示すように、偏平で細長いスリット状に形成され、長手方向（左右方向）に長く短手方向（上下方向）に短い横長の長方形に形成されている。また、図７、１０に示すように、空気吹出口２ａの直ぐ内側の上壁面と下壁面に、山形凸条６，７がその上流側に傾斜面６ａ，７ａを有して形成され、空気吹出口２ａの長手方向と平行に設けられる。つまり、上下両側の山形凸条６，７は、その頂部で通風路３を狭窄するように内側に突出し、スリット状に細長い空気吹出口２ａを形成している。
【００２４】
この山形凸条６，７の上流側の傾斜面６ａ，７ａは、各々、その傾斜方向を前可動ルーバ５の前フィン５１に向けて形成されており、この傾斜面６ａ，７ａの水平線に対する傾斜角度は、約４５°に設定されるが、空気吹出口２ａの高さ（短手方向の長さ）によっては、約３５°〜５５°に設定することができる。
【００２５】
なお、山形凸条６と山形凸条７は、ベゼル２の前部内側を狭窄して形成したが、空気吹出口２ａの直ぐ内側壁面の対向した上部と下部に、略三角形状の山形突出部として形成することもできる。
【００２６】
この山形凸条６と山形凸条７は、図１１，１２に示すように、操作ノブ４を下側に或いは上側に操作して、奥可動ルーバ８の奥フィン８１の下流側先端を、上方或いは下方に向けたとき、空気吹出口２ａから吹き出される空気流の方向を下方或いは上方に曲げるように作用する。
【００２７】
つまり、奥可動ルーバ８の奥フィン８１の下流側先端を上側（斜め上方）に向けた場合、図１１のように、通風路３を流れる空気流は、その上壁面近傍に沿って流れ、上側の山形凸条６の傾斜面６ａに当たって下方に曲げられ、斜め下方に送風されるようなっている。
【００２８】
他方、奥フィン８１の下流側先端を下側（斜め下方）に向けた場合、図１２のように、通風路３を流れる空気流は、その下壁面近傍に沿って流れ、下側の山形凸条７の傾斜面１２ａに当たって上方に曲げられ、斜め上方に送風されるようなっている。
【００２９】
図６，１０に示すように、ベゼル２の空気吹出口２ａの内側近傍には、複数の前フィン５１を有する前可動ルーバ５が空気吹出口２ａの長手方向に沿って配設される。前可動ルーバ５の前フィン５５は空気吹出口２ａ短手方向（縦方向）と平行な支軸５２により軸支され、且つその長手方向に間隔をおいて多数の前フィン５５が短手方向と平行に並設されている。図１０に示す如く、各前フィン５１の上部と下部には、支軸５２が突設され、それらの支軸５２を、ケース本体１とベゼル２の接合部に設けた軸受部に嵌合させ、各前フィン５１は左右方向に回動可能に軸支される。さらに、図３、１０に示す如く、上部の支軸５２にはクランク部４７を介して偏移軸５４が設けられ、全ての偏移軸５４は１本のリンク部材５５により連結され、全ての前フィン５１が同期して（連動して）左右方向に回動する構造となっている。
【００３０】
前可動ルーバ５の正面中央部には、操作ノブ４が配設される。操作ノブ４は、図８，９に示すように、操作ノブケース４１内に操作ノブ本体４２を回動可能に組み付けて構成され、図６に示す如く、前可動ルーバ５の中央部の前フィン５１と前フィン５１の間に、前フィン５１とともに回動可能に配設される。操作ノブケース４１は、図９に示すように、第１ノブケース４１ａと第２ノブケース４１ｂとから構成される。第１ノブケース４１ａの内側にノブ支軸４３が設けられ、操作ノブ本体４２は、操作ノブケース４１内に挿入されてノブ支軸４３を軸に上下に回動可能に支持され、その状態で、第１ノブケース４１ａと第２ノブケース４１ｂは図８のように相互に嵌着され組み付けられる。
【００３１】
図９に示すように、第１ノブケース４１ａの上部と下部には、係止爪４１ｄが設けられ、第２ノブケース４１ｂの対応する箇所に、係止爪４１ｄが係止される係止部４１ｅが設けられる。第１ノブケース４１ａと第２ノブケース４１ｂは図８のように係止爪４１ｄと係止部４１ｅにより相互に嵌着され係止される。第１ノブケース４１ａの上部と下部には、ケース支軸４４が上下に突設され、操作ノブケース４１はこの上下のケース支軸４４を軸に左右に回動可能に取り付けられる。
【００３２】
操作ノブ本体４２は、図９に示すように、中央に軸孔を有し、その軸孔には荷重付与部材４９が嵌入される。荷重付与部材４９は、熱可塑性エラストマーなどの高分子弾性体からなり操作荷重を付与するように構成され、操作ノブ本体４２をケース内に装着する場合、荷重付与部材４９の中心孔に、第１ノブケース４ａ内のノブ支軸４３を嵌入させて、操作ノブケース４１内に操作ノブ本体４２を回動可能に取り付け、第２ノブケース４１ｂを第１ノブケース４１ａに嵌着する。
【００３３】
操作ノブ本体４２の前部には、ケースより幅広の扇形把持部４６が取り付けられ、この扇形把持部４６を、操作ノブケース４１の開口部４１ｃから前方に突出させた状態で、操作ノブ本体４２は操作ノブケース４１内に収納される。したがって、扇形把持部４６を持って操作ノブ本体４２を上下に振ると、操作ノブ本体４２は操作ノブケース４１内にノブ支軸４３を軸に上下に回動可能である。これにより、操作ノブケース４１及び操作ノブ本体４２をコンパクトに形成しつつ把持部を把持しやすい形状とすることができ、使用者は容易に扇形把持部４６を持って風向調整の操作を行なうことができる。なお、操作ノブ本体４２の扇形把持部４６は、扇形のほか、把持しやすく操作の容易なレバー形状としてもよい。
【００３４】
さらに、操作ノブ本体４２の後部には、二股状の係合部４５が形成され、その係合部４５は、図８に示すように、奥可動ルーバ８の奥フィン８１の前部中央の係合部（棒状部分）８３と係合し、図１１、図１２に示す如く、操作ノブ本体４２を上に振ったとき、奥フィン８１の前部を下方に向け、操作ノブ本体４２を下に振ったとき、奥フィン８１の前部を上方に向けるように動作する。なお、係合部４５，８３は、歯車部として形成し、係合部４５と係合部８３を噛合させるようにしてもよい。
【００３５】
上述の如く、操作ノブケース４１の上部と下部にケース支軸４４が突設されるが、それらのケース支軸４４は、上記前可動ルーバ５の各前フィン５１の支軸５２と同じ前後位置に軸支され、上部のケース支軸４４には、図８，９のように、クランク部５３を介して偏移軸４８が、前フィン５１の支軸５２及びクランク部５３と同様の位置に形成される。
【００３６】
この偏移軸４８は、前フィン５１の偏移軸５４とともに１本のリンク部材５５により連結され、これにより、操作ノブ４の操作ノブ本体４２の前部を持って左右に振ったとき、図１３に示すように、操作ノブ４がケース支軸４４を軸に左右に回動するとともに、前可動ルーバ５の全ての前フィン５１が支軸５２を軸に左右に回動する構造となっている。
【００３７】
なお、前可動ルーバ５の各前フィン５１の支軸５２、及び操作ノブケース４１のケース支軸４４には、ともに偏移軸５４，４８を設けたクランク部５３、４７を設けたが、偏移軸は、前フィン５１、操作ノブケース４１の上端部の偏移位置に設けてもよく、そこにリンク部材５５を連結することもできる。
【００３８】
奥可動ルーバ８は、図６，７に示すように、通風路３内の前可動ルーバ５の直ぐ上流側に、１枚の奥フィン８１を前可動ルーバ５の前フィン５１と直交する状態、つまり、その奥フィン８１を空気吹出口２ａの長手方向と平行な状態で配設して構成される。奥フィン８１の左右両側端には、支軸８２が突設され、両側の支軸８２は、ケース本体１の両側壁部に設けた軸受部に回動可能に軸支される。図６、８に示すように、奥フィン８１の中央前部には、三日月状の開口部とともに棒状の係合部８３が形成され、操作ノブ４の操作ノブ本体４２の後部に設けた二股状の係合部４５が係合する。これにより、操作ノブ４の操作ノブ本体４２を図１１，１２のように上下に振ったとき、係合部４５と係合部８３が係合し、奥可動ルーバ８の奥フィン８１がその両側の支軸８２を軸に上下に回動する構造となっている。
【００３９】
このように、操作ノブ４は、操作ノブケース４１内に操作ノブ本体４２を上下に回動可能に配設してコンパクトに構成されるため、非常に細長い形状の空気吹出口２ａを有する薄型レジスタであっても、前可動ルーバ５の前フィン５１と前フィン５１との間に配置することができる。
【００４０】
また、操作ノブ４は前可動ルーバ５と同期連動して左右に回動させる構造とし、且つ操作ノブ本体４２の後部の係合部４５を操作ノブケース４１から後方に突き出して、奥可動ルーバ８の奥フィン８１の係合部８３と係合させる構造とするので、操作ノブ本体４２を上下左右に回動操作するのみで、前可動ルーバ５と奥可動ルーバ８の両方の風向調整を容易に行なうことができる。
【００４１】
図６，７に示すように、ケース本体１内の奥可動ルーバ８の上流側に、ダンパプレート９が通風路３内を開閉するように配設される。ダンパプレート９は、ケース本体１内で、その両側端部を支軸９１，９２により回動可能に支持され、通風路３を開閉する構造である。ダンパプレート９の一方の支軸９１の外側に、レバー９３が取り付けられ、レバー９３には長孔９３ａが形成される。
【００４２】
一方、ベゼル２の左側には、ダンパプレート９を回動操作するためのダンパノブ９５が支軸９６により上下に回動可能に軸支される。ダンパノブ９５の後部にアーム９４が形成され、アーム９４の後部にリンク軸９４ａが突設される。図５，６に示すように、アーム９４の後部のリンク軸９４ａは、レバー９３の長孔９３ａと係合し、ダンパノブ９５を上下に回動操作したとき、ダンパプレート９を回動させ、通風路３内の開放と閉鎖を行なう。
【００４３】
上記構成のレジスタは、例えば自動車の車室内のインストルメントパネルなどに設けられる空調装置の送風用吹出口に、ベゼル２を嵌め込むようにして取り付けて使用することができるが、インストルメントパネルなどのデザインによっては、図１４に示すように、別体の意匠カバー１０を、レジスタのベゼル２の外側に嵌め込み、意匠カバー１０を取り付けた状態のレジスタを、車室内のインストルメントパネルなどに取り付けることもできる。
【００４４】
上記レジスタの送風方向を上方に変える場合、図１２のように、操作ノブ４の扇形把持部４６を上側に操作して、操作ノブ本体４２の前部を、そのノブ支軸４３を軸に上側に回動させる。これにより、操作ノブ本体４２の後部の二股状の係合部４５が下側に回動し、奥可動ルーバ８の奥フィン８１の下流側先端部が、斜め下方に向くように回動する。
【００４５】
これにより、通風路３を流れる空気流は、図１２のように、奥可動ルーバ８の奥フィン８１により短手方向の斜め下方に曲げられて縮流され、縮流された状態で前可動ルーバ５の前フィン５１の間を通過し、そこで前可動ルーバ５の向きに応じて長手方向（左右方向）に風向を変え、その状態で、通風路３の空気流は、その下壁面から、下側の山形凸条７の傾斜面７ａに当たって上方に曲げられ、空気吹出口２ａから斜め上方に向けて送風される。
【００４６】
一方、送風方向を下方に変える場合、図１１のように、操作ノブ４の扇形把持部４６を下側に操作して、操作ノブ本体４２の前部を、そのノブ支軸４３を軸に下側に回動させる。これにより、操作ノブ本体４２の後部の二股状の係合部４５が反対に上側に回動し、奥可動ルーバ８の奥フィン８１がその下流側先端部を、斜め上方に向くように回動する。
【００４７】
これにより、通風路３を流れる空気流は、図１１のように、奥可動ルーバ８の奥フィン８１により短手方向の斜め上方に曲げられて縮流され、縮流された状態で前可動ルーバ５の前フィン５１の間を通過し、そこで前可動ルーバ５の向きに応じて長手方向（左右方向）に風向を変え、その状態で、通風路３を流れる空気流は、その上壁面から、上側の山形凸条６の傾斜面６ａに当たって下方に曲げられ、空気吹出口２ａから斜め下方に向けて送風される。
【００４８】
一方、送風方向を左右に振る場合、図１３に示すように、前可動ルーバ５の前面の扇形把持部４６を持って左または右に回動させる。これにより、操作ノブケース４１が操作ノブ本体４２とともにその上下のケース支軸４４を軸に、左または右に回動し、この操作ノブケース４１の動きがリンク部材５５を介して前可動ルーバ５の全ての前フィン５１に伝達され、図１３に示す如く、前可動ルーバ５の全ての前フィン５１が、左または右に向くように回動し、風向が左または右に変えられる。
【００４９】
このように、短手方向（上下方向）に風向を変える変流部は、奥可動ルーバ８の部分が縮流部となり、山形凸条６，７の部分が偏向部となって、風向を短手方向の斜め下方または上方に曲げる際の変流動作は、奥可動ルーバ８による縮流と山形凸条６，７による偏向に分割されることとなる。このために、空気流が前可動ルーバ５から山形凸条６，７を通過する際、縮流（圧縮された空気の流れ）が減少し、それにより、前可動ルーバ５を回動して風向を左右長手方向に変える際、風向が縮流により戻される現象が低減される。
【００５０】
このため、長手方向に長く短手方向に短い細長の空気吹出口２ａを有したレジスタであっても、奥可動ルーバ８の向きを短手方向に振った状態で、前可動ルーバ５の向きを長手方向に振ったとき、縮流により風が戻されることがなく、前可動ルーバ５の向きに応じて風向を良好に変え、風の指向性を向上させることができる。
【００５１】
なお、上記実施形態では、横長の空気吹出口２ａを有し縦に短い形状のケース本体１において、図１に示すように、前可動ルーバ５の前フィン５１を縦方向に向けて並設し、奥可動ルーバ８の奥フィン８１を水平横方向と平行に配設したが、それらを９０度回転させた状態とし、ケース本体を縦に細長い形状として且つ縦に長いスリット状の空気吹出口をケース本体に設け、前可動ルーバの前フィンを空気吹出口の短手方向である水平横方向と平行に配設し、奥可動ルーバの奥フィンを空気吹出口の長手方向である縦方向と平行に設けることもできる。この場合、空気吹出口内側の山形凸条は空気吹出口の長手方向と平行の縦方向に設けることとなる。
【符号の説明】
【００５２】
１      ケース本体
２      ベゼル
２ａ    空気吹出口
３      通風路
４      操作ノブ
４ａ    第１ノブケース
５      前可動ルーバ
６      山形凸条
６ａ    傾斜面
７      山形凸条
７ａ    傾斜面
８      奥可動ルーバ
９      ダンパプレート
１０    意匠カバー
４１    操作ノブケース
４１ａ  第１ノブケース
４１ｂ  第２ノブケース
４１ｃ  開口部
４１ｄ  係止爪
４１ｅ  係止部
４２    操作ノブ本体
４３    ノブ支軸
４４    ケース支軸
４５    係合部
４６    扇形把持部
４７    クランク部
４８    偏移軸
４９    荷重付与部材
５１    前フィン
５２    支軸
５３    クランク部
５４    偏移軸
５５    リンク部材
８１    奥フィン
８２    支軸
８３    係合部
９１    ダンパ支軸
９３    レバー
９３ａ  長孔
９４    アーム
９４ａ  リンク軸
９５    ダンパノブ
９６    支軸
【図１】
2014210502.tif 000003
【図２】
2014210502.tif 000004
【図３】
2014210502.tif 000005
【図４】
2014210502.tif 000006
【図５】
2014210502.tif 000007
【図６】
2014210502.tif 000008
【図７】
2014210502.tif 000009
【図８】
2014210502.tif 000010
【図９】
2014210502.tif 000011
【図１０】
2014210502.tif 000012
【図１１】
2014210502.tif 000013
【図１２】
2014210502.tif 000014
【図１３】
2014210502.tif 000015
【図１４】
2014210502.tif 000016